(57)【要約】      （修正有）【課題】構造強度がより強化された糊綴じ層を具えるブロックメモを提供する。【解決手段】上下方向に積層された複数のメモ用紙３２を有するブロックユニット３６が複数上下重なってなるブロックメモ３であって、複数のブロックユニット３６それぞれの上下方向と平行する同一側の面が、複数の網目３４１を有するように形成された強化ネット３４により強化された糊綴じ層３５に貼り合わされて接着されている。【選択図】図８
0003197044.tif 000002
【実用新案登録請求の範囲】
【請求項１】
上下方向に積層された複数のメモ用紙を有するブロックユニットが複数上下重なってなるブロックメモであって、
複数の前記ブロックユニットそれぞれの前記上下方向と平行する同一側の面が、複数の網目を有するように形成された強化ネットにより強化された糊綴じ層に貼り合わされて接着されていることを特徴とするブロックメモ。
【請求項２】
各前記ブロックユニットそれぞれが有する前記複数のメモ用紙における前記上下方向の一番下にあるメモ用紙の下に、裏カバーが積層されていることを特徴とする請求項１に記載のブロックメモ。
【請求項３】
前記強化ネットが有する前記複数の網目が、所定の平面的形状に形成されて且つ均一に配列されていることを特徴とする請求項１または請求項２に記載のブロックメモ。
【請求項４】
前記強化ネットは、綿繊維またはポリアミド繊維からなることを特徴とする請求項１から請求項３のいずれか一項に記載のブロックメモ。
【請求項５】
前記複数のメモ用紙それぞれの前記糊綴じ層に隣接する端部の裏面に、接着層が塗布され、その下側にある他の一枚のメモ用紙に接着されていることを特徴とする請求項１から請求項４のいずれか一項に記載のブロックメモ。
【考案の詳細な説明】
【技術分野】
【０００１】
本考案はブロックメモに関し、特に、糊綴じ層を具えるブロックメモに関する。
【背景技術】
【０００２】
従来のブロックメモ１は、複数のメモ用紙が重なってブロック状になったものであり、例えば事務机や電話台などに置かれ、情報が記載されるメモ用紙をブロックメモから取り外して様々な場所に添付したり貼り付けたりすることができるため愛用されている。
【０００３】
以下では図１と図２を参照しながら、従来のブロックメモの一例について詳しく説明する。図示されているように、該従来のブロックメモ１は、上下方向に積層された複数のメモ用紙１１１からなるブロックユニット１１と、上下重なってなる複数のブロックユニット１１を貼り合わせる糊綴じ層１２とを含む。糊綴じ層１２は、各ブロックユニット１１が重なってなる上下方向と平行する同一側の面に塗設されて、各ブロックユニット１１の一側且つ各メモ用紙１１１の一端を固定する。
【０００４】
しかし、糊綴じ層１２の構造強度が不足であるため、頻繁にメモ用紙１１１を剥き取ったりすると、糊綴じ層１２に亀裂が生じ、やがて断裂する。従って、ブロックユニット１１が、図３に示されたように、ブロックメモ１から分離されてしまうことが頻繁にある。
【考案の概要】
【考案が解決しようとする課題】
【０００５】
上記問題点に鑑みて、本考案は構造強度がより強化された糊綴じ層を具えるブロックメモの提供を目的とする。
【課題を解決するための手段】
【０００６】
上記目的を達成すべく、本考案は、上下方向に積層された複数のメモ用紙を有するブロックユニットが複数上下重なってなるブロックメモであって、複数の前記ブロックユニットそれぞれの前記上下方向と平行する同一側の面が、複数の網目を有するように形成された強化ネットにより強化された糊綴じ層に貼り合わされて接着されていることを特徴とするブロックメモを提供する。
【考案の効果】
【０００７】
上記構成によれば、本考案のブロックメモは、複数の前記ブロックユニットそれぞれの前記上下方向と平行する同一側の面が、複数の網目を有するように形成された強化ネットにより強化された糊綴じ層に貼り合わされて接着されているので、前記糊綴じ層の亀裂を防止することができ、耐用性が強化されている。
【図面の簡単な説明】
【０００８】
【図１】従来のブロックメモが示されている斜視図である。
【図２】従来のブロックメモが示されている一部側面図である。
【図３】従来のブロックメモの亀裂状態が示されている斜視図である。
【図４】本考案のブロックメモの第１実施形態を製造する方法が示されている流れ図である。
【図５】本考案のブロックメモの第１実施形態を製造する方法に於ける材料用意工程と第一分割工程が示されている斜視図である。
【図６】本考案のブロックメモの第１実施形態を製造する方法に於ける塗布工程と積層工程が示されている側面図である。
【図７】本考案のブロックメモの第１実施形態を製造する方法に於ける強化ネット設置工程が示されている斜視図である。
【図８】本考案のブロックメモの第１実施形態が示されている斜視図である。
【図９】本考案のブロックメモの第２実施形態が示されている斜視図である。
【図１０】本考案のブロックメモの第２実施形態が示されている側面図である。
【図１１】本考案のブロックメモの第２実施形態に於ける展開状態が示されている側面図である。
【図１２】本考案のブロックメモの他の実施形態が示されている斜視図である。
【図１３】本考案のブロックメモのさらに別の実施形態が示されている斜視図である。
【図１４】本考案のブロックメモのさらに別の実施形態が示されている斜視図である。
【図１５】本考案のブロックメモのさらに別の実施形態が示されている斜視図である。
【図１６】本考案のブロックメモのさらに別の実施形態が示されている斜視図である。
【図１７】本考案のブロックメモのさらに別の実施形態が示されている斜視図である。
【図１８】本考案のブロックメモのさらに別の実施形態が示されている斜視図である。
【考案を実施するための形態】
【０００９】
以下では図４〜図８を参照しながら、本考案のブロックメモの第１実施形態を製造する方法について詳しく説明する。先ずは図４に示されたように、この製造方法は、材料用意工程Ｓ２１と、第一分割工程Ｓ２２と、塗布工程Ｓ２３と、積層整理工程Ｓ２４と、強化ネット設置工程Ｓ２５と、糊綴じ層整理工程Ｓ２６とを含む。
【００１０】
図４と図５に示されたように、材料用意工程Ｓ２１において、上下方向に積層された複数のメモ用紙３２からなる紙束３１を用意し、次に第一分割工程Ｓ２２にて、紙束３１を適宜なサイズに裁断する。
【００１１】
各メモ用紙３２は、それぞれ表面３２１と、裏面３２２とを有する。図４と図６に示されるように、塗布工程Ｓ２３において、各メモ用紙３２の裏面３２２に在る所定側の周縁区画に接着層３３を塗布する。次の積層整理工程Ｓ２４にて、接着層３３が塗布された各メモ用紙３２を、接着層３３がその下側にある他の一枚のメモ用紙に接着された積層状態にしてから、全体の形状をブロック状に整えて一つのブロックユニット３６（図６参照）として作成する切削作業を行う。
【００１２】
図４と図７〜図８に示されたように、強化ネット設置工程Ｓ２５においては、先ず材料用意工程Ｓ２１と、第一分割工程Ｓ２２と、塗布工程Ｓ２３と、積層整理工程Ｓ２４とを経て作成されたブロックユニット３６を複数用意し、各ブロックユニット３６をそれぞれの前記所定側の周縁に接する面が上下一致するように上下積層してから、例えば綿繊維またはポリアミド繊維により複数の網目３４１を有するように作成された強化ネット３４を、引っ張って展開して、上下方向に積層された複数のブロックユニット３６の、該上下方向と平行し且つ各メモ用紙３２の前記所定側の周縁に接する面に当接させ、接着剤を強化ネット３４及び該強化ネット３４が当接している面に塗布し、熱風に約１分間浴びせて塗布された接着剤及び強化ネット３４を糊綴じ層３５として作成する。
【００１３】
この方法により、接着剤が強化ネット３４の各網目３４１を充満すると共に、糊綴じ層３５と強化ネット３４とが一体化したので、糊綴じ層３５の構造強度は強化ネット３４によって補強され、より強い亀裂耐性を持つようになる。その後、糊綴じ層整理工程Ｓ２６において、糊綴じ層３５をブロックユニット３６に合わせてはみ出ている部分を取り除くように切削作業を行って本考案のブロックメモとして作成する。なお、本考案のブロックメモの糊綴じ層３５は、強化ネット３４によって亀裂耐性が強化されたため、少量の接着剤だけで充分に各ブロックユニット３６を束ねることができる。
【００１４】
続いて、図９〜図１１を参照にして、本考案のブロックメモの第２実施形態について詳しく説明する。第２実施形態は前記第１実施形態と類似しているが、前記第１実施形態との相違点は、材料用意工程Ｓ２１において用意された紙束３１において、上下方向の一番下にあるメモ用紙３２の下に、裏カバー３７が積層されている点と、塗布工程Ｓ２３において裏カバー３７の裏面に接着層３３が塗布されていない点にある。
【００１５】
裏カバー３７としては、材料用意工程Ｓ２１において紙束３１における上下方向の一番下にあるメモ用紙３２の下に積層されているため、該裏カバー３７は積層整理工程Ｓ２４を経てブロックユニット３６となる一束のメモ用紙３２が有する複数のメモ用紙における上下方向の一番下にあるメモ用紙３２の下に配置されるようになり、強化ネット設置工程Ｓ２５において複数用意されるブロックユニット３６それぞれの上下方向の一番下に位置するようになるので、例えばメモ用紙３２より厚いまたは硬い材料を使用したり、またはメモ用紙３２と異なる色に形成したりすることによって、各ブロックユニット３６の間にある仕切りとしての役割を果たすことができる。
【００１６】
この構成により、図１０及び図１１に示されたように、本考案のブロックメモは、複数のブロックユニット３６を有すると共に、各ブロックユニット３６が強化ネット３４により強化された糊綴じ層３５よって接着されているので、図１０のように一つのブロックとして整理収納したり、または図１１に示されているように、各ブロックユニット３６にそれぞれ異なる色のメモ用紙３２が使用される場合、任意のブロックユニット３６からメモ用紙３２を取り出してそれぞれの色に応じてメモ用紙３２を使い分けしたりすることができると共に、強化ネット３４により強化された糊綴じ層３５を折り畳んでも、強化された糊綴じ層３５は亀裂が生じることなく、全体が１つのブロック状に保ったままでブロックメモとしての利便性を発揮し続けることができる。
【００１７】
なお、強化ネット３４が有する複数の網目３４１は、図９に示されたように、平面の六角形に形成されて且つ均一に配列されてもよく、或いは図１２〜図１８が示されたように、別種多様の、所定の平面的形状に形成されて且つ均一に配列されてもよい。
【００１８】
総括すると、本考案のブロックメモ３は、強化ネット３４によって、糊綴じ層３５の構造強度が強化されているので、糊綴じ層３５を形成するのに使用される接着剤の量を節約することができる。そして、使用者が糊綴じ層３５が折り畳まれるまでブロックユニット３６を展開し、メモ用紙３２を剥き取っても、糊綴じ層３５に亀裂が生じて断裂するまでの寿命が延長されている。したがって、本考案のブロックメモ３は、確実に従来のブロックメモの耐用性と利便性を改善できるし、製造における接着剤の使用量も節約できる。
【００１９】
以上、本考案の好ましい実施形態を説明したが、本考案はこれに限定されるものではなく、その要旨を逸脱しない範囲で種々変更可能である。
【産業上の利用可能性】
【００２０】
上記構成によれば、本考案の、複数のブロックユニット３６それぞれの上下方向と平行する同一側の面が、複数の網目３４１を有するように形成された強化ネット３４により強化された糊綴じ層３５に貼り合わされて接着されていることで、糊綴じ層３５の亀裂を防止してブロックメモ３の耐用性を強化でき、製造における接着剤の使用量も節約でき、特に、異なる色のブロックユニット３６を有するブロックメモ３なら、糊綴じ層３５が亀裂する憂いなしに所望な色のメモ用紙３２を使い分けることができる。
【符号の説明】
【００２１】
Ｓ２１  材料用意工程
Ｓ２２  第一分割工程
Ｓ２３  塗布工程
Ｓ２４  積層整理工程
Ｓ２５  強化ネット設置工程
Ｓ２６  糊綴じ層整理工程
３  ブロックメモ
３１  紙束
３２  メモ用紙
３２１  表面
３２２  裏面
３３  接着層
３４  強化ネット
３４１  網目
３５  糊綴じ層
３６  ブロックユニット
３７  裏カバー
【図１】
0003197044.tif 000003
【図２】
0003197044.tif 000004
【図３】
0003197044.tif 000005
【図４】
0003197044.tif 000006
【図５】
0003197044.tif 000007
【図６】
0003197044.tif 000008
【図７】
0003197044.tif 000009
【図８】
0003197044.tif 000010
【図９】
0003197044.tif 000011
【図１０】
0003197044.tif 000012
【図１１】
0003197044.tif 000013
【図１２】
0003197044.tif 000014
【図１３】
0003197044.tif 000015
【図１４】
0003197044.tif 000016
【図１５】
0003197044.tif 000017
【図１６】
0003197044.tif 000018
【図１７】
0003197044.tif 000019
【図１８】
0003197044.tif 000020